(57)【要約】【課題】  雑誌等を縦向きに収納でき、処分するときには紐で容易に十字状に綴じることができる新しい収納用具を提供する。【解決手段】  本発明の収納用具１は、正面を開口とした箱形の外箱２と、正面及び一側面を開口とした内箱５と、を備え、内箱５を挿入した外箱２を縦置きにすることで雑誌を縦向きに収納可能なものであって、外箱２は、所定の一側面に十字状の切抜き３１が形成され、上面板２３、底面板２４、背面板２５に、十字状の切抜き３１に連続する手等を挿入可能な挿入用開口３３、３４、３５を有し、内箱５は、側面板５１及び背面板５５に、互いに連続する挿入用開口６１を有し、この挿入用開口６１は、内箱５を外箱２内に挿入したときに、外箱２の背面板２５の挿入用開口３５、及び、十字状の切抜き３１に相対する位置に形成されている。【選択図】  図１
2013103722.tif 000002
【特許請求の範囲】
【請求項１】
正面を開口とした箱形の外箱と、正面及び該正面と直交する所定の一面を開口とした内箱と、を備え、
前記外箱は、前記正面と直交する所定の一面に十字状の切抜きが形成され、前記十字状の切抜きが形成された一面と直交する三面に、前記十字状の切抜きに連続する手等を挿入可能な挿入用開口を有し、
前記内箱は、前記正面と直交する所定の一面と対向する一面の後端近傍、及び、背面に、互いに連続する手等を挿入可能な挿入用開口を有し、
前記内箱の挿入用開口は、前記内箱を前記外箱内に挿入したときに、前記外箱の背面の挿入用開口、及び、前記十字状の切抜きに相対する位置に形成されていることを特徴とする収納用具。
【請求項２】
前記十字状の切抜きを備える一面は、４枚の平板が前記十字状の切抜きを形成するように相互に所定の間隔を開けて格子状に配列されてなり、前記４枚の平板における自由端の角部は角を取って円弧状に形成されていることを特徴とする請求項１に記載の収納用具。
【請求項３】
前記内箱の正面と直交する少なくとも一面の正面端部近傍には、前記外箱に挿入された状態の内箱を引き出すときに、指をかけるための引出用の穴が形成されていることを特徴とする請求項１又は請求項２に記載の収納用具。
【請求項４】
前記内箱における自由端となる角部は角を取って円弧状に形成されていることを特徴とする請求項１乃至請求項３のいずれか１項に記載の収納用具。
【請求項５】
前記十字状の切抜きが形成された一面は側面であり、該側面は、少なくともＡ４サイズよりも大きく形成されていることを特徴とする請求項１乃至請求項４のいずれか１項に記載の収納用具。
【請求項６】
前記外箱は、奥行きが２３０乃至２５０ｍｍ、高さが３１０乃至３３０ｍｍとされていることを特徴とする請求項１乃至請求項５のいずれか１項に記載の収納用具。
【請求項７】
前記外箱は、幅が１２０乃至１５０ｍｍとされていることを特徴とする請求項１乃至請求項６のいずれか１項に記載の収納用具。
【請求項８】
前記内箱の幅は、前記外箱の内側の幅よりも０．５乃至５ｍｍ小さく形成されていることを特徴とする請求項１乃至請求項７のいずれか１項に記載の収納用具。
【請求項９】
前記外箱の正面と直交する少なくとも一面には、指をかけるための引出用の穴が形成されていることを特徴とする請求項１乃至請求項８のいずれか１項に記載の収納用具。
【請求項１０】
前記外箱及び内箱は、上下を２分する面を境に対象形状とされていることを特徴とする請求項１乃至請求項９のいずれか１項に記載の収納用具。
【発明の詳細な説明】
【技術分野】
【０００１】
本発明は、雑誌等を縦向きに収納でき、かつ、重ねた雑誌等を容易に紐で十字状に綴じることができる収納用具に関する。
【背景技術】
【０００２】
新聞紙や雑誌等を処分するときに紐で十字状に綴じることは非常に面倒な作業である。そこで、容易に十字状に綴じることができる用具に関して様々な提案が成されている。例えば特許文献１では、十字状の開口が形成された底面と、該開口に連続した開口を備えた側面と、からなる箱の下方に支持部材により間隙を形成した収納梱包用具の提案がなされている。この提案によれば、箱の中に収納した新聞紙や雑誌を収納したままで十字状に紐綴じができ、新聞紙や雑誌等の紐綴じが容易となる。
【先行技術文献】
【特許文献】
【０００３】
【特許文献１】公開実用新案公報昭５７−２０２９０２
【発明の概要】
【発明が解決しようとする課題】
【０００４】
上述したように、新聞紙や雑誌を収納した状態のままで容易に紐綴じができる用具に関して既に多くの提案がなされている。しかしながら、収納する対象として新聞紙をメインに考えて開発されたものが多いため、平積みで収納するタイプの用具が殆どである。雑誌、マガジン、書籍等は、本箱等に縦向きに収納され、処分するまでの間に繰り返し読まれるのが一般的である。平積みで雑誌等を収納した場合、下の方に収納された雑誌等を取り出すことは面倒な作業となるため、平積みで収納するタイプの収納用具は、雑誌等を収納するのに適していない。
【０００５】
本発明は、上述したような従来技術の課題に鑑みて成されたものであり、雑誌等を縦向きに収納でき、処分するときには紐で容易に十字状に綴じることができる新しい収納用具を提供することを目的としている。
【課題を解決するための手段】
【０００６】
本願の請求項１の収納用具は、正面を開口とした箱形の外箱と、正面及び該正面と直交する所定の一面を開口とした内箱と、を備え、前記外箱は、前記正面と直交する所定の一面に十字状の切抜きが形成され、前記十字状の切抜きが形成された一面と直交する三面に、前記十字状の切抜きに連続する手等を挿入可能な挿入用開口を有し、前記内箱は、前記正面と直交する所定の一面と対向する一面の後端近傍、及び、背面に、互いに連続する手等を挿入可能な挿入用開口を有し、前記内箱の挿入用開口は、前記内箱を前記外箱内に挿入したときに、前記外箱の背面の挿入用開口、及び、前記十字状の切抜きに相対する位置に形成されていることを特徴とする。
【０００７】
請求項２の収納用具において、前記十字状の切抜きを備える一面は、４枚の平板が前記十字状の切抜きを形成するように相互に所定の間隔を開けて格子状に配列されてなり、前記４枚の平板における自由端の角部は角を取って円弧状に形成されていることを特徴とする。
【０００８】
請求項３の収納用具において、前記内箱の正面と直交する少なくとも一面の正面端部近傍には、前記外箱に挿入された状態の内箱を引き出すときに、指をかけるための引出用の穴が形成されていることを特徴とする。
【０００９】
請求項４の収納用具において、前記内箱における自由端となる角部は角を取って円弧状に形成されていることを特徴とする。
【００１０】
請求項５の収納用具において、前記十字状の切抜きが形成された一面は側面であり、該側面は、少なくともＡ４サイズよりも大きく形成されていることを特徴とする。
【００１１】
請求項６の収納用具において、前記外箱は、奥行きが２３０乃至２５０ｍｍ、高さが３１０乃至３３０ｍｍとされていることを特徴とする。
【００１２】
請求項７の収納用具において、前記外箱は、幅が１２０乃至１５０ｍｍとされていることを特徴とする。
【００１３】
請求項８の収納用具において、前記内箱の幅は、前記外箱の内側の幅よりも０．５乃至５ｍｍ小さく形成されていることを特徴とする。
【００１４】
請求項９の収納用具において、前記外箱の正面と直交する少なくとも一面には、指をかけるための引出用の穴が形成されていることを特徴とする。
【００１５】
また、請求項１０の収納用具において、前記外箱及び内箱は、上下を２分する面を境に対象形状とされていることを特徴とする。
【発明の効果】
【００１６】
本発明によれば、雑誌等を縦向きに収納でき、処分するときには紐で容易に十字状に綴じることができる新しい収納用具を提供することができる。
【００１７】
すなわち、本発明の収納用具は、内箱と外箱を設け、外箱に十字状の切抜きを形成すると共に、内箱及び外箱に複数の挿入用開口を形成したことにより、雑誌等を容易に紐で綴じることができる。また、雑誌等を紐で綴じるために、収納用具を横向きにし、内箱を背面板が外箱内に残っている状態まで引き出して十字状の切抜き上に雑誌等を重ねたとき、内箱の背面板が外箱の開口部分を支持する足の役目をするため、雑誌等の重みに耐え得る強度を提供することができる。さらに、収納用具内に収納された雑誌等を内箱を引き出すことで手前に引き出すことができるため、雑誌等を容易に取り出すこともできる。
【００１８】
また、本発明の収納用具は、外箱の十字状の切抜きを形成する平板の角部を角を取って円弧状に形成しているため、内箱を挿入するときにスムーズに挿入することができ、内箱があることにより、雑誌を挿入する際にもスムーズに挿入することができる。
【００１９】
さらに、本発明の収納用具は、内箱に引出用の穴が形成されているため、外箱に挿入された内箱を容易に引き出すことができる。
【００２０】
また、本発明の収納用具は、内箱における自由端となる角部を角を取って円弧状に形成していることにより、外箱内から内箱をスムーズに引き出すことができ、また、安全面でも効果がある。
【００２１】
そして、本発明の収納用具は、十字状の切抜きが形成された一面が少なくともＡ４サイズよりも大きく形成されているため、十字状の切抜きが形成された一面を側面として雑誌等を縦向きに収納できることとなる。
【００２２】
また、本発明の収納用具は、外箱の大きさを、奥行きが２３０乃至２５０ｍｍ、高さが３１０乃至３３０ｍｍとすることにより、Ａ４サイズの雑誌を余裕を持って収納できる。
【００２３】
さらに、本発明の収納用具は、外箱の幅を１２０乃至１５０ｍｍとすることにより外箱が自立可能となるため、雑誌等を縦向きで容易に収納できることとなる。
【００２４】
また、本発明の収納用具は、内箱の幅を外箱の内側の幅よりも０．５乃至５ｍｍ小さく形成することにより、収納用具を横向きにし、内箱を背面板が外箱内に残っている状態まで引き出して十字状の切抜き上に雑誌等を重ねたとき、内箱の背面板が外箱の開口部分を支持する足の役目として十分に機能することとなる。
【００２５】
そして、本発明の収納用具は、外箱に引出用の穴を設けることにより、例えば、外箱を本棚に収納した場合等に、棚から容易に引き出すことができる。
【００２６】
また、本発明の収納用具は、外箱及び内箱が上下を２分する面に対して対象形状とされているため、上下を反転させて使用可能である。
【図面の簡単な説明】
【００２７】
【図１】本発明の実施形態における収納用具の内側を透過した参考斜視図である。
【図２】本発明の実施形態における外箱を展開した参考図である。
【図３】本発明の実施形態における内箱を展開した参考図である。
【図４】上記内箱を外箱内に収納した状態の収納用具の内側を透過した参考斜視図である。
【図５】雑誌等を収納した状態の収納用具の斜視図である。
【図６】内箱を外箱から少し引き出した状態の収納用具の斜視図である。
【図７】上記収納用具で雑誌等の束を紐綴じする方法についての説明に用いる参考斜視図である。
【図８】上記収納用具で雑誌等の束を紐綴じする方法についての説明に用いる参考断面図である。
【図９】上記収納用具で雑誌等の束を紐綴じする方法についての説明に用いる参考斜視図である。
【図１０】上記収納用具で雑誌等の束を紐綴じする方法についての説明に用いる参考斜視図である。
【発明を実施するための形態】
【００２８】
以下、本発明の実施形態を図に基づいて詳細に述べる。図１は、本実施形態における収納用具１の斜視図であり、図２は、外箱２を展開した参考図であり、図３は、内箱５を展開した参考図であり、図４は、外箱２に内箱５を挿入した状態の斜視図である。なお、図２及び図３は、外箱２や内箱５の構造を分かりやすくするために添付した参考図であり、外箱２や内箱５が図２及び図３のように一枚の板によって形成されていることを示すものではない。また、以下の説明においては、図１における上下方向を上下方向、図１における左右方向を前後方向、図１の奥が右、図１の手前が左として述べる。
【００２９】
本実施形態における収納用具１は、図１に示すように、外箱２と、外箱２内に挿入可能な内箱５と、を備える。この外箱２及び内箱５は、上下を２分する面を境に対象形状とされている。そして、この収納用具１は、外箱２内に内箱５を挿入した状態で雑誌等を縦向きに収納可能であり、また、後述する外箱２や内箱５に形成された切抜きや開口によって、束ねた雑誌等を紐で容易に十字状に綴じることができることを特徴とする。
【００３０】
外箱２は、図１及び図２に示すように、複数の側面板により形成される右側面２１と、左側面板２２と、上面板２３と、底面板２４と、背面板２５と、からなる正面を開口とした箱形形状である。この外箱２の大きさは、上下方向の高さが３２０ｍｍ、前後方向の長さが２４０ｍｍ、幅が１２０ｍｍとされている。また、外箱２及び内箱５は、透過性があり、雑誌等を挿入したときに雑誌等の重さに耐え得る強度がある素材によって形成されている。素材としては、例えばアクリル板等を用いることができる。なお、外箱２の大きさは、上記数値に限定されるものではなく、少なくともＡ４判の雑誌（２１０×２９７ｍｍ）が余裕を持って挿入できる大きさであればよいが、奥行きが２３０乃至２５０ｍｍ、高さが３１０乃至３３０ｍｍ、幅が１２０乃至１５０ｍｍ、とするのが好適である。
【００３１】
外箱２の右側面２１には、十字状の切抜きである十字切抜３１が形成されている。この十字切抜３１は、雑誌等を紐で十字状に綴じるときに使用される部位であり、使用方法に関しては後述する。そして、この十字切抜３１は、右側面２１の略中心から上下、及び、前後方向に延在し、右側面２１を四枚の板に分断している。すなわち、外箱２の右側面２１は、略方形状の４枚の平板である第一右側板４１、第二右側板４２、第三右側板４３、第四右側板４４により形成されており、各右側板４１、４２、４３、４４が十字切抜３１を形成するように、相互に所定の間隔を開けた状態で格子状に配列されてなる。
【００３２】
なお、十字切抜３１の幅は、２０ｍｍとしているが、紐が容易に通る間隔があればこの数値に限定されるものではない。また、各右側板４１、４２、４３、４４における角部が露出した部分、すなわち、第一右側板４１の下端両側の角部、第二右側板４２の下端正面側の角部、第三右側板４３の上端両側の角部、第四右側板４４の上端正面側の角部は、角を取って（鋭角部分を切り取って）円弧状（曲面状）に形成されている。このように角を取っているのは、内箱５を挿入するときに角が尖っていると引っかかることがあるのでこれを防止するためである。
【００３３】
また、左側面２２の略上下中央部分であって正面側端部近傍には、円形の第一引出穴３８が形成されている。この第一引出穴３８は、本箱等に収納された外箱２を引き出すときに指等をかけるための開口である。なお、第一引出穴３８は、直径を２０ｍｍとしているが、この数値に限定されるものではない。
【００３４】
外箱２の上面板２３、底面板２４及び背面板２５には、雑誌等を紐で綴じるときに外箱２内へ紐や手を挿入するための開口である第一挿入用開口３３、第二挿入用開口３４、第三挿入用開口３５が形成されている。この挿入用開口３３、３４、３５は円形であり、右側面２１の十字切抜３１にそれぞれ連続するように形成されている。なお、各挿入用開口３３、３４、３５は、直径を１００ｍｍとしているが、手が挿入できる大きさであればこの数値に限定されるものではない。
【００３５】
そして、外箱２は、十字状の切抜きを有した面の厚みを５ｍｍとし、切抜きの無い面の厚みを３ｍｍとして形成されている。このように右側面２１（十字状の切抜きを有した面）の厚みをそれ以外の面の厚みよりも厚くしているのは、十字切抜３１により強度が低くなる面の強度を高めるためである。なお、全ての面を５ｍｍ厚としてもよく、また、アクリル板よりも強度の高い素材であれば全ての面の厚みを更に薄くしてもよい。全ての面の厚みを一定とした場合には、成型が容易になるという利点がある。
【００３６】
内箱５は、図１及び図３に示すように、右側面板５１、上面板５３、底面板５４、背面板５５の四枚の板からなる正面及び左側面を開口とした略箱形形状である。この内箱５の大きさは、外箱２の内側に挿入可能で、かつ、Ａ４サイズの雑誌が挿入できる大きさであればよく、例えば、内箱５の外寸は、外箱２の内寸よりも上下、前後、左右の三方向に０．５乃至５ｍｍほど小さく形成すればよい。なお、少なくとも内箱５の幅（左右方向の長さ）だけでも、外箱の内側の幅よりも０．５乃至５ｍｍ小さく形成することが好適である。
【００３７】
そして、内箱５の右側面板５１及び背面板５５には、雑誌等を紐で綴じるときに外箱２内に手等を挿入するための第四挿入用開口６１が形成されている。この第四挿入用開口６１は、右側面板５１及び背面板５５の両面に連続して形成されている。また、第四挿入用開口６１は、図４に示すように、内箱５を外箱２内に挿入したときに十字切抜３１における前後方向に延在する切抜きや、外箱２の背面板２５の第三挿入用開口３５に相対する位置に形成されている。なお、挿入用開口６１の上下方向の長さは１００ｍｍとされ、背面板５５側の左右方向の長さは１００ｍｍとされ、右側面板５１側の前後方向の長さは１２０ｍｍとされているが、これらの数値に限定されるものではない。
【００３８】
また、内箱５の上面板５３及び底面板５４の前端近傍であって右側面板５１の近傍には、外箱２内に挿入された内箱５を引き出すときに指等をかける円形の第二引出穴６５、第三引出穴６６が形成されている。この第二引出穴６５及び第三引出穴６６は、上下の対象位置に形成されている。このように引出穴６５、６６を上下両面の対象位置に形成しているのは、収納用具１を上下反転させて使用するときにも指をかけられるようにするためである。なお、内箱５の厚みは３ｍｍとしているが、これに限定されるものではない。
【００３９】
次に、本収納用具１の使用方法について述べる。図５は、内側に雑誌８を挿入した状態の斜視図であり、図６乃至図１０は、束ねた雑誌８を紐９で十字状に綴じる方法について説明する図である。
【００４０】
本実施形態の収納用具１は、図４に示したように、外箱２内に内箱５を挿入し、図５に示すように、内箱５に雑誌８を縦向きに収納して使用する。そして、束ねた雑誌８を紐９で綴じるときには、図６に示すように、まず雑誌８が内箱５内に収納された状態のまま内箱５を正面方向に引き出す。内箱５を引き出すときには、第二引出穴６５や第三引出穴６６に指をかけることで容易に引き出すことができる。
【００４１】
そして、内箱５内の雑誌８の束を取り出し、図７に示すように、外箱２と内箱５を右側面２１（５１）が上方に来るように横にして外箱２の右側面２１上に雑誌８の束を積層する。このとき、内箱５の背面板５５が外箱２の正面側端部よりも僅かに外箱２内に位置するように内箱５をセットする。すなわち、内箱５の背面板５５が外箱２の開口側を支持する足となるように内箱５をセットする。このように内箱５をセットすることにより、外箱２の右側面２１が雑誌８の束の重さに耐え得るようになる。
【００４２】
次に、紐９を雑誌８の束の上方から架け、紐９の両先端を外箱２の内側に挿入する。外箱２及び内箱５には、挿入用開口３３、３４、３５、６１が形成されているため、外箱２の内側に容易に紐９を挿入でき、また、手等も容易に挿入することができる。なお、図７においては、外箱２の正面及び背面側から紐９の両先端を挿入しているが、外箱２の上面及び底面側から挿入してもよい。
【００４３】
紐９の両先端を内側に挿入した後は、図８に示すように、第一挿入用開口３３及び第二挿入用開口３４（又は、第三挿入用開口３５及び第四挿入用開口６１）から手１０を挿入し、十字切抜３１に沿って紐９を雑誌の下方で強く引いて緊張させ、雑誌８の下方でクロスさせる。そして、図９に示すように、紐９を手を挿入した第一挿入用開口３３及び第二挿入用開口３４（又は、第三挿入用開口３５及び第四挿入用開口６１）から紐９の両先端を外箱２の外側へ引き出す。そして、引き出した紐９の両先端を強く引いて紐９を緊張させ、図１０に示すように、雑誌８の上方で結ぶ。
【００４４】
このように本実施形態における収納用具１によれば、内箱５と外箱２を設け、外箱２に十字状の切抜き（十字切抜３１）を形成すると共に、内箱５及び外箱２に複数の挿入用開口３３、３４、３５、６１を形成したことにより、雑誌８を容易に紐９で綴じることができる。また、雑誌８を紐９で綴じるために、収納用具１を横向きにし、内箱５を背面板５５が外箱２内に残っている状態まで引き出して十字切抜３１上に雑誌等を重ねたとき、内箱５の背面板５５が外箱２の開口部分を支持する足の役目をするため、雑誌等の重みに耐え得る強度を提供することができる。さらに、雑誌８を紐９で綴じるときに限らず、収納時においても外箱２と内箱５の二重構成とすることで収納用具１の強度を高めることができる。さらに、収納用具１内に収納された雑誌８を内箱５を引き出すことで手前に引き出すことができるため、雑誌８を容易に取り出すこともできる。
【００４５】
また、本実施形態における収納用具１によれば、外箱２の十字切抜３１を形成する平板の角部を角を取って円弧状に形成しているため、雑誌８を挿入するときに十字切抜３１に雑誌８をスムーズに挿入でき（引っかかることを防止でき）、また、内箱５を挿入するときも同様にスムーズに挿入することができる。
【００４６】
さらに、本実施形態における収納用具１によれば、内箱５に引出用の穴（第二引出穴６５及び第三引出穴６６）が形成されているため、外箱２に挿入された内箱５を容易に引き出すことができる。
【００４７】
また、本実施形態における収納用具１によれば、内箱５における自由端となる角部を角を取って円弧状に形成していることにより、外箱２内から内箱５をスムーズに引き出すことができる。
【００４８】
そして、本実施形態における収納用具１によれば、十字切抜３１が形成された一面（右側面２１）を少なくともＡ４サイズよりも大きく形成することにより、雑誌８を縦向きに収納できることとなる。すなわち、収納用具１は、外箱２の底面板２４で自立することができ、雑誌８を縦向きにそのまま収納できるため、処分するまでの間は所望の雑誌を取り出して読み返す作業が容易となる。
【００４９】
また、本実施形態における収納用具１によれば、外箱２の大きさを、奥行きが２３０乃至２５０ｍｍ、高さが３１０乃至３３０ｍｍとすることにより、Ａ４サイズの雑誌８を余裕を持って収納できる。
【００５０】
さらに、本実施形態における収納用具１によれば、外箱２の幅を１２０乃至１５０ｍｍとすることにより、外箱２を自立させることができる。また、雑誌８は、多くを一つの束にすると非常に重くなるが、外箱２の幅を１２０乃至１５０ｍｍとすることにより、収納用具１内に限界まで雑誌８を収納し、これらを全て処分する場合であっても、処分する雑誌８の束が重すぎることもない。
【００５１】
そして、内箱５の幅を外箱２の内側の幅よりも０．５乃至５ｍｍ小さく形成することにより、雑誌８を紐９で綴じるために、収納用具１を横向きにし、内箱５を背面板５５が外箱２内に残っている状態まで引き出して十字切抜３１上に雑誌等を重ねたとき、内箱５の背面板５５が外箱の開口部分を支持する足の役目として十分に機能することとなる。
【００５２】
また、本実施形態における収納用具１によれば、外箱２に第一引出穴３８を設けることにより、例えば、外箱２を本棚に収納した場合等に、棚から容易に引き出すことができる。
【００５３】
さらに、本実施形態における収納用具１によれば、外箱２及び外箱５が上下を２分する面を境に対象形状とされているため、上下を反転させて使用できる。例えば、収納用具１を本箱に入れて使用する場合、右端に載置する場合には十字切抜３１が右側に位置するように載置し、逆に左端に載置する場合には十字切抜３１が左側に位置するように収納用具１の上下を反転させて載置することができる。なお、上記実施形態においては、引出穴６５、６６を内箱５の上下両面の対象位置に形成しているため、収納用具１を反転させて使用した場合にもいずれかの引出穴６５、６６に指をかけることで容易に内箱５を引き出すことができる。
【００５４】
なお、本発明は以上の実施形態に限定されるものではなく、発明の要旨を変更しない限り、あらゆる設計変更が可能である。例えば、外箱２の幅を大きくして収納容量を増やすことや、構成を変えずに平置きで収納する収納用具とすることも可能である。
【産業上の利用可能性】
【００５５】
外箱の側面の外方に連結具等を設けることにより、複数個を連結可能なラック（収納用具）とすることができる。また、外箱と内箱の色彩を複数用意し、自由に組み合わせ可能とすることで意匠性にも優れた収納用具を提供できる。
【符号の説明】
【００５６】
１  収納用具
２  外箱
５  内箱
８  雑誌
９  紐
１０  手
２１  右側面
２２  左側面板
２３  上面板
２４  底面板
２５  背面板
３１  十字切抜
３３  第一挿入用開口
３４  第二挿入用開口
３５  第三挿入用開口
３８  第一引出穴
４１  第一右側板
４２  第二右側板
４３  第三右側板
４４  第四右側板
５１  右側面板
５３  上面板
５４  底面板
５５  背面板
６１  第四挿入用開口
６５  第二引出穴
６６  第三引出穴
【図１】
2013103722.tif 000003
【図２】
2013103722.tif 000004
【図３】
2013103722.tif 000005
【図４】
2013103722.tif 000006
【図５】
2013103722.tif 000007
【図６】
2013103722.tif 000008
【図７】
2013103722.tif 000009
【図８】
2013103722.tif 000010
【図９】
2013103722.tif 000011
【図１０】
2013103722.tif 000012